(57)【要約】【課題】タッチ面上において複数の機能ボタンを表示する必要がないリモコンや、簡易的な構成にしたいリモコンにまでタッチパネルのような複雑な表示機構を設けることはコスト的に不合理であった。一方、タッチパネルを設けないと、タッチ面において行われた指の動作に対するタッチリモコンの反応をタッチ面上にて確認することができないという問題もあった。【解決手段】以上の課題を解決するために、本発明は、タッチ面での指の動作を検知する検知部と、タッチ面に配置される複数の光点表示部と、検知部で検知した指の動作に応じて光点表示部の光点の発光を制御する発光制御部と、からなるタッチリモコンを提案する。【選択図】図１
2012094010.tif 000002
【特許請求の範囲】
【請求項１】
タッチ面での指の動作を検知する検知部と、
タッチ面に配置される複数の光点表示部と、
検知部で検知した指の動作に応じて光点表示部の光点の発光を制御する発光制御部と、
からなるタッチリモコン
【請求項２】
発光制御部は、タッチ面での指の動作を光点の点灯又は消灯で再現する動作再現手段を有する請求項１に記載のタッチリモコン。
【請求項３】
発光制御部は、タッチ面での指の動作に対する応答メッセージを光点で表示する応答メッセージ表示手段を有する請求項１又は２に記載のタッチリモコン。
【請求項４】
タッチリモコンにてリモートコントロールされる電子機器からタッチ操作を促すための情報であるタッチ操作促し情報を受信するタッチ操作促し情報受信部をさらに有し、
発光制御部は、タッチ操作促し情報に応じてタッチ操作促しメッセージを光点で表示するタッチ操作促しメッセージ表示手段を有する請求項１から３のいずれか一に記載のタッチリモコン。
【発明の詳細な説明】
【技術分野】
【０００１】
本発明は、指の動作をタッチ面にて確認できるタッチリモコンに関する。
【背景技術】
【０００２】
近年になって、特許文献１に開示されているようなタッチパネルを備えたリモコンが見られるようになってきている。これらのリモコンはタッチパネル上に遠隔制御の対象となる電子機器の機能を実行するためのボタンなどを複数配置することで簡易的なタッチ操作が可能になっている。
【先行技術文献】
【特許文献】
【０００３】
【特許文献１】特開平９−２３４８７
【発明の概要】
【発明が解決しようとする課題】
【０００４】
しかしながら、タッチ面上において複数の機能ボタンを表示する必要がないリモコンや、簡易的な構成にしたいリモコンにまでタッチパネルのような複雑な表示機構を設けることはコスト的に不合理であった。一方、タッチパネルを設けないと、タッチ面において行われた指の動作に対するタッチリモコンの反応をタッチ面上にて確認することができないという問題もあった。
【課題を解決するための手段】
【０００５】
以上の課題を解決するために、本発明は、タッチ面での指の動作を検知する検知部と、タッチ面に配置される複数の光点表示部と、検知部で検知した指の動作に応じて光点表示部の光点の発光を制御する発光制御部と、からなるタッチリモコンを提案する。
【発明の効果】
【０００６】
以上のような構成をとる本発明によって、タッチ面上に複数の光点を配置する簡易的な構成によって指の動作に対するタッチリモコンの反応をタッチ面上にて確認することが可能になる。
【図面の簡単な説明】
【０００７】
【図１】実施形態１のタッチリモコンの概要を示す図
【図２】実施形態１のタッチリモコンの機能ブロックの一例を示す図
【図３】実施形態１のタッチリモコンの全体形状の一例を示す図
【図４】実施形態１のタッチリモコンの複数の光点表示部の構成の一例を示す図
【図５】実施形態１のタッチリモコンの発光制御の一例を示す図（１）
【図６】実施形態１のタッチリモコンの発光制御の一例を示す図（２）
【図７】実施形態１のタッチリモコンのハードウェア構造の一例を示す図
【図８】実施形態１のセンサコントローラの動作処理の一例を示す図
【図９】実施形態１のＭＰＵの動作処理の一例を示す図
【図１０】実施形態２のタッチリモコンの概要を示す図
【図１１】実施形態２のタッチリモコンの機能ブロックの一例を示す図
【図１２】実施形態２のＭＰＵの動作処理の一例を示す図
【図１３】実施形態３のタッチリモコンの概要を示す図
【図１４】実施形態３のタッチリモコンの機能ブロックの一例を示す図
【図１５】実施形態３のタッチリモコンの発光制御の一例を示す図
【図１６】実施形態３のＭＰＵの動作処理の一例を示す図
【図１７】実施形態４のタッチリモコンの概要を示す図
【図１８】実施形態４のタッチリモコンの機能ブロックの一例を示す図
【図１９】実施形態４のタッチリモコンの発光制御の一例を示す図
【図２０】実施形態４のＭＰＵの動作処理の一例を示す図
【発明を実施するための形態】
【０００８】
以下に、本発明の実施形態を説明する。実施形態と請求項の相互の関係は、以下のとおりである。実施形態１では主に請求項１について説明し、実施形態２では主に請求項２について説明し、実施形態３では主に請求項３について説明し、実施形態４では主に請求項４について説明する。なお、本発明はこれらの実施形態に何ら限定されるものではなく、その要旨を逸脱しない範囲内において、種々なる態様で実施しうる。
<実施形態１>
【０００９】
<概要>
本実施形態のタッチリモコンは、タッチ面での指の動作に応じて光点の発光を制御することが可能である。例えば、図１に示すように、「タッチリモコン」０１００の「タッチ面」０１０１において、指を右から左に向かってスライドさせる動作を行った場合、当該スライド方向を表現するようにタッチ面の右側の領域から左側の領域に向けて光点を点灯させることが考えられる。
【００１０】
<構成>
図２は、本実施形態のタッチリモコンの機能ブロックの一例を示す図である。この図にあるように、本実施形態の「タッチリモコン」０２００は、「検知部」０２０１と、「複数の光点表示部」０２０２と、「発光制御部」０２０３と、から構成される。
【００１１】
なお、以下に記載する各機能は、ハードウェア、ソフトウェア、又はハードウェア及びソフトウェアの両方により実現され得る。また、この発明は装置として実現できるのみでなく、方法としても実現することが可能である。
【００１２】
本実施形態の「タッチリモコン」は、基本的な機能として、対応する「電子機器」をリモートコントロール（遠隔制御）する機能を備えており、タッチ操作に応じて対応する電子機器に対して操作命令を送信する。ここで、「電子機器」は種々のものが考えられるが、例えば映像表示装置や映像記録装置、音声出力装置、印刷装置、照明装置、家電機器、カーナビゲーション装置、ゲーム機器などが挙げられる。なお、「電子機器」のリモートコントロールは、有線又は無線の通信手段を介して行うことが考えられる。
【００１３】
なお、本実施形態の発明は、「タッチリモコン」とこのタッチリモコンにてリモートコントロールされる「電子機器」とからなる「電子機器システム」として特定することも可能である（以下の実施形態においても同様である）。
【００１４】
タッチリモコンの全体形状としては、例えば図３に示すように、正面形状が卵形であり、奥行幅が薄い形状とすることが考えられる。当該形状にすることにより、手になじみやすく片手で操作しやすくなる。ただし、本実施形態のタッチリモコンの形状はこれに限定されるものではなく、他の形状とすることも可能である。
【００１５】
「検知部」は、タッチ面での指の動作を検知する機能を有する。ここで、タッチ面での指の動作としては、直接的にタッチ面に触れて行われる動作の他に、タッチ面から指を少し浮かせた状態で行われる動作も含まれるものである。また、タッチペンなど、指の代役となる道具を用いて行われる動作も含まれる。
【００１６】
具体的な指の動作としては、例えばタッチ面にて指をスライドさせる動作や、タッチ面をタップする動作、タッチ面に近接／接触する２本以上の指の間隔を広げたり狭めたりする動作などが挙げられる。
【００１７】
検知部を実現する手段としては、例えば静電容量センサや、抵抗膜センサ、表面弾性波センサ、赤外線センサ、電磁誘導センサ、マトリクス・スイッチなどが挙げられる。これらの検知手段においては、指をタッチした位置やスライドさせた方向を検知することが可能であり、当該検知結果に基づいてどのような動作が行われたかを解釈することが可能である。
【００１８】
例えば、タッチ面の特定の位置において指の近接／接触を単発的に検知した場合はタップ操作であると解釈し、タッチ面にて連続的に指の近接／接触を検知した場合はスライド操作であると解釈することが可能である。また、指の近接／接触を複数同時に検知した場合は拡大・縮小操作であると解釈することも可能である。
【００１９】
タッチ面における検出素子は、例えば、４×４のマトリクス状に配置することも可能であるし、１６×１６のマトリクス状に配置することも可能である。ただし、タッチする一般的な指の大きさや検出精度などに応じて適宜設計することが好ましい。
【００２０】
「複数の光点表示部」は、タッチ面に配置される。ここで、光点表示部は、タッチ面の全域に配置する必要は必ずしもなく、その一部に配置する構成も可能である。ただし、タッチ面での指の動作を光点の点灯又は消灯で再現する場合は、タッチ面の略全域に配置することが好ましい。
【００２１】
光点表示部の光点は、ＬＥＤ素子とすることが主として考えられるが、有機ＥＬ素子、などを用いることも可能である。また、各光点表示部の光点は、他の光点表示部とは独立にその明るさや色を制御することが可能である。
【００２２】
また、複数の光点表示部の構成としては、例えば図４に示すように１２×１２のマトリクス状に「光点素子」０４０１を配置することが考えられる。ここで、光点素子の配置構成の検出素子の配置構成と一致させる構成も可能である。この場合、検出部と同一の精度で光点表示部を制御することが可能になる。ただし、当該構成に限定されるものではなく、他の配置構成とすることも可能である。
【００２３】
「発光制御部」は、検知部で検知した指の動作に応じて光点表示部の光点の発光を制御する機能を有する。発光制御部としては、デジタル方式の制御回路（プロセッサ）又はアナログ方式の制御回路を用いることが挙げられる。デジタル方式の制御回路としては、ＭＰＵやＣＰＵなどが主として考えられる。
【００２４】
ここで、指の動作に応じた発光の制御としては、指の動作に応じて各光点が点灯・消滅するタイミングや点灯時間を調整することが考えられる。例えば、タッチ面に対する指の近接／接触を検知した場合に、複数の光点を所定時間点灯させることが考えられる。また、タッチ面の所定の領域に対して指が近接／接触した場合に、当該領域の光点のみを所定時間点灯させることが考えられる。
【００２５】
また、タッチ面に対する指の動作がスライド動作である場合は、図１に示したように、指の動作方向を表すように光点を点灯させることが考えられる。当該構成とすることにより、タッチ面における指の動作方向を簡易的に把握することが可能になる。また、この場合、動作方向の始点側から終点側にかけて光点の明るさや色を変化させることも可能である。なお、実施形態２で詳述するが、タッチ面での指の動作を光点の点灯又は消灯で再現することも可能である。
【００２６】
また、タッチ面に対する指の動作がタップ動作である場合は、タップした位置から波面上に光点を点灯させる領域を移動させることが考えられる。当該構成とすることにより、適切にタップ動作が行われているか、又は意図せずにタップ動作として検知されたかなどを把握することが可能になる。また、図５に示すように、タップした回数が複数回である場合は、各波面領域にある光点を点灯させる構成も考えられる。当該構成とすることにより、タッチ面を何回タップしたかを簡易に把握することが可能になる。この場合、波面が広がるにつれて光点の明るさや色を変化させたりすることも可能である。
【００２７】
また、タッチ面に対する指の動作が拡大・縮小操作である場合は、図６に示すように、「拡大操作であることを示す矢印」０６０１や「縮小操作であることを示す矢印」０６０２などのアイコンを表示するよう所定の領域の光点を点灯させることが考えられる。当該構成とすることにより、適切に拡大又は縮小操作が行われているか、又は意図せずに拡大又は縮小操作が行われたかなどを簡易的に把握することが可能になる。また、拡大・縮小の程度に応じて矢印の長さ等を変更することも可能である。
【００２８】
なお、指の動作に応じた光点の発光制御に係るパラメータを編集可能な構成とすることも可能である。例えば、光点の発光制御に係るパラメータとしては、指の近接／接触の検知に際して光点を点灯させるタイミングやその長さ、光点の明るさや色、指の動作種別と関連付けられる光点の発光パターンＩＤなどが考えられる。編集するための具体的な方法としては、タッチリモコンにおけるタッチ操作によりパラメータを編集する方法も可能であるし、制御対象である電子機器から編集信号を受信して編集する方法も可能である。
【００２９】
また、タッチリモコンは、音声出力可能な音声出力部と、検知部で検知した指の動作に応じて音声出力部の音声出力を制御する音声制御部をさらに備える構成とすることも可能である。ここで、音声制御部は、音声出力が光点の発光と同期するように制御する同期手段を有する構成や、音声出力の種別（音階や、音量、メロディーの種類など）をタッチ面での指の動作の種別と関連付けて制御する動作種別制御手段を有する構成なども考えられる。
【００３０】
また、発光制御部は、遠隔制御の対象である電子機器から受信する応答信号に応じて光点表示部の光点の発光を制御する応答御制御手段を有する構成や、遠隔制御の対象である電子機器に対して送信すべき信号を送信できないときや受信すべき信号を受信できないときなどにエラーメッセージを光点で表示するエラーメッセージ表示手段を有する構成とすることも可能である。
【００３１】
<具体的な構成>
図７は、上記タッチリモコンをハードウェアとして実現した際の具体的な構成の一例を示す図である。この図を利用して、各ハードウェア構成の働きについて説明する。
【００３２】
この図にあるように、タッチリモコンは、「ＭＰＵ」０７０１と、と、「ＲＡＭ」０７０２と、「不揮発性メモリ」０７０３、「タッチセンサ」０７０４と、「センサコントローラ」０７０５と、「複数のＬＥＤ素子」０７０６と、「ＬＥＤコントローラ」０７０７と、「通信器」０７０８と、「通信用インターフェイス」０７０９と、から構成される。当該構成は、「システムバス」０７１０のデータ通信経路により相互に接続され、情報の送受信や処理を行う。
【００３３】
タッチリモコンの機能を実現するためのプログラムやデータは「不揮発性メモリ」に記憶されており、必要に応じて「ＲＡＭ」に展開される。「ＭＰＵ」は、「ＲＡＭ」に展開されたプログラムを順次読み出して実行する。
【００３４】
図８は、「センサコントローラ」の動作処理の一例を示すフローチャートである。まず、ステップＳ０８０１において、「タッチセンサ」からタッチ面に対する指の近接／接触を示すアナログ信号を検知するまでアイドル状態で待機する。ステップＳ０８０２において、「センサコントローラ」は、「タッチセンサ」からタッチ面に対する指の近接／接触を示すアナログ信号を検知すると、デジタル信号への変換を行い、指の近接／接触位置データを「センサコントローラ」のデータレジスタに格納する。次にステップＳ０８０３において、「センサコントローラ」は「ＭＰＵ」に対してデータレディ信号を送信する。次にステップＳ０８０４において、引き続き「タッチセンサ」からタッチ面に対する指の近接／接触を示すアナログ信号が検知されるか否か判断する。ここでの判断が検知されるとの判断である場合はステップＳ０８０２に戻る。ここでの判断が検知されないとの判断である場合は、ステップＳ０８０５に進む。ステップＳ０８０５において、「ＭＰＵ」に対してデータエンド信号を送信し、ステップＳ０８０１に戻る。なお、上記動作処理の例では、近接／接触位置データがデータレジスタに格納されるごとに「ＭＰＵ」に対してデータレディ信号を送信する構成としているが、複数の近接／接触位置データがデータレジスタに格納された段階で「ＭＰＵ」に対してデータレディ信号を送信する構成も可能である。
【００３５】
図９は、「ＭＰＵ」の動作処理の一例を示すフローチャートである。まず、ステップＳ０９０１において、「センサコントローラ」からデータレディ信号を受信するまでアイドル状態で待機するか、他のタスクを実行して待機する。次にステップＳ０９０２において、「センサコントローラ」からデータレディ信号を受信すると、「センサコントローラ」のデータレジスタからタッチ面上の指の位置情報を「ＲＡＭ」に読み出す。次にステップＳ０９０３において、これまで読み出されたタッチ面上の指の位置情報に基づいて指の動作種別を決定する処理を行う。次にステップＳ０９０４において、指の動作種別に基づいて点灯させるべき「ＬＥＤ素子」と各「ＬＥＤ素子」を点灯させるべきタイミングを決定する。次にステップＳ０９０５において、「ＬＥＤコントローラ」に対して点灯させるべき「ＬＥＤ素子」のＩＤと各「ＬＥＤ素子」を点灯させるべきタイミングの情報を送信する。なお、「センサコントローラ」において複数の近接／接触位置データがデータレジスタに格納された段階で「ＭＰＵ」に対してデータレディ信号が送信される場合は、上記ステップＳ０９０２においては複数の近接／接触位置データをまとめて読み出す処理を行う。また、「センサコントローラ」からデータエンド信号を受信した場合は、「ＲＡＭ」における指の位置情報に係る記憶領域を解放する。
【００３６】
以下、「ＬＥＤコントローラ」の動作処理の一例を示す。まず、最初のステップにおいて、「ＭＰＵ」から点灯させるべき「ＬＥＤ素子」のＩＤと各「ＬＥＤ素子」を点灯させるべきタイミングの情報を受信するまで待機する。次のステップにおいて、点灯させるべき「ＬＥＤ素子」のＩＤと各「ＬＥＤ素子」を点灯させるべきタイミングの情報を受信した場合は「ＬＥＤコントローラ」のデータレジスタに格納する。次のステップにおいて、各「ＬＥＤ素子」に対して点灯させるべきタイミングにおいて所定時間電流を流す。
【００３７】
なお、「ＭＰＵ」は、上記動作処理の他に、タッチリモコンとしての一般的な処理を行うことが可能である。例えば、遠隔制御の対象である「電子機器」に対して指の近接／接触位置データを「通信器」を介して送信することが可能である。当該データを受信した「電子機器」は、データ解釈を行って実行すべき処理を決定することが可能である。また、逆にタッチリモコンは、電子機器からタッチ操作に関するデータを「通信器」を介して受信することも可能である。
【００３８】
<効果>
本実施形態のタッチリモコンにより、タッチ面上に複数の光点を配置する簡易的な構成によって指の動作に対するタッチリモコンの反応をタッチ面上にて確認することが可能になる。
【００３９】
<実施形態２>
【００４０】
<概要>
本実施形態のタッチリモコンは、タッチ面での指の動作を再現するように光点の点灯又は消灯を制御する構成を有する。例えば、図１０に示すように、タッチ面において一定の軌跡を描くように指をスライド操作させた場合に当該軌跡を追いかけるように複数の光点を点灯させることが考えられる。
【００４１】
<構成>
図１１は、本実施形態のタッチリモコンの機能ブロックの一例を示す図である。この図にあるように、本実施形態の「タッチリモコン」１１００は、「検知部」１１０１と、「複数の光点表示部」１１０２と、「発光制御部」１１０３と、から構成され、「発光制御部」は「動作再現手段」１１０４を有する。以下、実施形態１との相違点である「動作再現手段」について説明する。
【００４２】
「動作再現手段」は、タッチ面での指の動作を光点の点灯又は消灯で再現する機能を有する。ここで、タッチ面での指の動作を光点の点灯又は消灯で再現するとは、タッチ面にて指の動作が行われた後にその指の動作をなぞるように光点を点灯又は消灯させることをいう。
【００４３】
例えば、図１０に示したように、タッチ面に対する指の動作がスライド操作である場合は、当該スライド操作を再現するように指の動作の軌跡にあたる領域を点灯させることが考えられる。当該構成とすることにより、タッチ面にて行われたスライド操作の軌跡を簡易に把握することができる。なお、点灯させるタイミングや点灯させる時間は適宜設計することが可能であるが、例えば各検出素子において指の近接／接触を検知してから０．５秒後に１秒間近傍の光点を点灯させることが考えられる。また、光点の明るさや色を点灯時間経過に応じて変化させる構成も考えられる。当該構成とすることにより、指の動作方向も各光点の明るさや色の違いにより把握することができる。
【００４４】
<具体的な構成>
本実施形態のタッチリモコンの具体的な構成は、図７で示した実施形態１の具体的な構成と同様である。以下、実施形態１との相違点について説明する。
【００４５】
図１２は、「ＭＰＵ」の動作処理の一例を示すフローチャートである。まず、ステップＳ１２０１において、「センサコントローラ」からデータレディ信号を受信するまでアイドル状態で待機するか、他のタスクを実行して待機する。次にステップＳ１２０２において、「センサコントローラ」からデータレディ信号を受信すると、「センサコントローラ」のデータレジスタからタッチ面上の指の位置情報を「ＲＡＭ」に読み出す。次にステップＳ１２０３において、これまで読み出されたタッチ面上の指の位置情報に基づいて指の動作種別を決定する処理を行う。次にステップＳ１２０４において、指の動作種別と指の位置情報に基づいて指の動作を再現するよう点灯させる「ＬＥＤ素子」と各「ＬＥＤ素子」を点灯させるタイミングを決定する。次にステップＳ１２０５において、「ＬＥＤコントローラ」に対して点灯させる「ＬＥＤ素子」のＩＤと各「ＬＥＤ素子」を点灯させるタイミングの情報を送信する。
【００４６】
なお、上記ＭＰＵのステップＳ１２０４の動作処理としては、例えば指の動作種別がスライド操作である場合は、当該スライド操作の始点領域にある「ＬＥＤ素子」から終点領域にある「ＬＥＤ素子」までを順に点灯させるように、各「ＬＥＤ素子」のＩＤと点灯タイミングを決定することが考えられる。その他の処理については実施形態１で説明したものと同様である。
【００４７】
<効果>
本実施形態のタッチリモコンにより、タッチ面上に複数の光点を配置する簡易的な構成によって指の動作の軌跡をタッチ面上にて確認することが可能になる。
【００４８】
<実施形態３>
【００４９】
<概要>
本実施形態のタッチリモコンでは、タッチ面での指の動作に対する応答メッセージを光点で表示する構成を有する。例えば、図１３に示すように、タッチ面での指の動作に対する応答メッセージの文字を光点で表示することが考えられる。
【００５０】
<構成>
図１４は、本実施形態のタッチリモコンの機能ブロックの一例を示す図である。この図にあるように、本実施形態の「タッチリモコン」１４００は、「検知部」１４０１と、「複数の光点表示部」１４０２と、「発光制御部」１４０３と、から構成され、「発光制御部」は「応答メッセージ表示手段」１４０４を有する。以下、実施形態１、２との相違点である「応答メッセージ表示手段」について説明する。
【００５１】
「応答メッセージ表示手段」は、タッチ面での指の動作に対する応答メッセージを光点で表示する機能を有する。ここで、タッチ面での指の動作に対する応答メッセージとしては、タッチ面での指の動作の内容を示すメッセージも可能であるし、タッチ面での指の動作によりもたらされる結果を示すメッセージも可能である。また、タッチ面の指の動作が適切に検知されているか否かを示すメッセージも可能である。なお、応答メッセージは文字である必要はなく、数字や記号、アイコンなども可能である。
【００５２】
例えば、タッチ面において指を上方向又は下方向にスライド操作させた場合において、そのスライド操作の内容が制御対象である電子機器のパラメータ（音量や輝度など）を上げる又は下げる場合は、図１５に示すように「ＵＰ」、「ＤＯＷＮ」などのメッセージを光点で表示することが考えられる。また、そのスライド操作により電子機器のパラメータが特定のレベルに変化したことを示すように当該レベルを示す数字などを光点で表示することも可能である。
【００５３】
同様に、タッチ面において指を左方向又は右方向にスライド操作させた場合において、そのスライド操作の内容が制御対象である電子機器の出力対象（表示出力番組や音声出力楽曲など）を変更する場合は、「ＬＥＦＴ」、「ＲＩＧＨＴ」などのメッセージを光点で表示したり、そのスライド操作により電子機器の出力対象が特定の対象に変更されたことを示すように当該出力対象のＩＤ（番組のチャンネルなど）を光点で表示したりすることも可能である。また、タッチ面に対する指の動作がうまく検知できない場合は「？（クエスチョンマーク）」などを光点で表示することも考えられる。
【００５４】
また、発光制御部は、タッチ面での指の動作を光点で再現する場合と、タッチ面での指の動作に対する応答メッセージを光点で表示する場合とで、光点の明るさや色、光点を点灯させるタイミングや長さを変更する変更制御手段を有する構成が考えられる。また、応答メッセージを光点で表示することに合わせて、応答メッセージに関連付けられた音声を出力する構成も可能である。
【００５５】
<具体的な構成>
本実施形態のタッチリモコンの具体的な構成は、図７で示した実施形態１の具体的な構成と同様である。以下、実施形態１、２との相違点について説明する。
【００５６】
図１６は、「ＭＰＵ」の動作処理の一例を示すフローチャートである。まず、ステップＳ１６０１において、「センサコントローラ」からデータレディ信号を受信するまでアイドル状態で待機するか、他のタスクを実行して待機する。次にステップＳ１６０２において、「センサコントローラ」からデータレディ信号を受信すると、「センサコントローラ」のデータレジスタからタッチ面上の指の位置情報を「ＲＡＭ」に読み出す。次にステップＳ１６０３において、これまで読み出されたタッチ面上の指の位置情報に基づいて指の動作種別を決定する処理を行う。次にステップＳ１６０４において、指の動作種別に基づいて光点で表示する応答メッセージを決定する処理を行う。次にステップＳ１６０５において、応答メッセージを光点で表示するよう点灯させる「ＬＥＤ素子」と各「ＬＥＤ素子」を点灯させるタイミングを決定する。次にステップＳ１６０６において、「ＬＥＤコントローラ」に対して点灯させる「ＬＥＤ素子」のＩＤと各「ＬＥＤ素子」を点灯させるタイミングの情報を送信する。
【００５７】
なお、上記ＭＰＵのステップＳ１６０４の動作処理としては、例えば動作種別と応答メッセージを関連付けたテーブルに基づいて行うことが可能であり、当該テーブルデータはフラッシュメモリなどに格納しておくことが考えられる。その他の処理については実施形態１、２で説明したものと同様である。
【００５８】
<効果>
本実施形態のタッチリモコンは、タッチ面上に複数の光点を配置する簡易的な構成によって指の動作に対する応答メッセージをタッチ面上にて確認することが可能になる。
【００５９】
<実施形態４>
【００６０】
<概要>
本実施形態のタッチリモコンは、タッチリモコンにて遠隔制御（リモートコントロール）する電子機器から受信するタッチ操作を促すための情報に応じてタッチ操作促しメッセージを光点で表示する構成を有する。例えば図１７に示すように、「表示装置」１７０１において新規メールを確認することが可能な場合、タッチリモコンは表示装置から「新規メールを確認するための操作ＩＤの情報」１７０２を受信し、タッチ面にて「新規メールを確認するための操作を促すメッセージ」１７０３を光点で表示することが可能である。
【００６１】
<構成>
図１８は、本実施形態のタッチリモコンの機能ブロックの一例を示す図である。この図にあるように、本実施形態の「タッチリモコン」１８００は、「検知部」１８０１と、「複数の光点表示部」１８０２と、「発光制御部」１８０３と、「タッチ操作促し情報受信部」１８０４と、から構成され、「発光制御部」は「タッチ操作促しメッセージ表示手段」１８０５を有する。以下、実施形態１から３との相違点である「タッチ操作促し情報受信部」と「タッチ操作促しメッセージ表示手段」について説明する。
【００６２】
「タッチ操作促し情報受信部」は、タッチリモコンにてリモートコントロール（遠隔制御）される電子機器からタッチ操作を促すための情報であるタッチ操作促し情報を受信する機能を有する。ここで、タッチ操作を促すための情報としては、当該促されるタッチ操作のＩＤの情報などが考えられる。また、光点表示部にて光点を特定のパターンで点灯・消灯させるための制御データなどが含まれていてもよい。
【００６３】
「タッチ操作促しメッセージ表示手段」は、タッチ操作促し情報に応じてタッチ操作促しメッセージを光点で表示する機能を有する。ここで、タッチ操作促しメッセージとは、特定のタッチ操作を促すためのメッセージをいう。タッチ操作促しメッセージは、必ずしも文字である必要はなく、数字や記号、アイコンなども可能である。
【００６４】
例えば、図１７に示したように制御対象である電子機器から新規メールの確認操作のＩＤを受信したときは、新規メールの確認操作を示すアイコンを光点で表示することが考えられる。当該表示される指の動作をタッチ面にて行うと、制御対象である電子機器のディスプレイにおいて新規メールの表示画面が出力される構成とすることが考えられる。
【００６５】
また、制御対象である電子機器からスキップ処理を促す情報を受信したときは、図１９に示すようにスキップ操作を示すアイコンを光点で表示することが考えられる。当該表示される指の動作をタッチリモコンにおいて行うと、制御対象である電子機器においてスキップ処理が行われる構成とすることが考えられる。
【００６６】
また、発光制御部は、タッチ面での指の動作を光点で再現する場合などと、タッチ操作促し情報に応じてタッチ操作促しメッセージを光点で表示する場合とで、光点の明るさや色、光点を点灯させるタイミングや長さを変更する変更制御手段を有する構成が考えられる。また、タッチ操作促しメッセージを光点で表示することに合わせて、タッチ操作促しメッセージに関連付けられた音声を出力する構成も可能である。
【００６７】
また、タッチ面での指の動作に応じて出力する音声と、タッチ操作促し情報に応じて出力する音声のパラメータを変化させる構成も可能である。例えば、タッチ操作促し情報に応じて出力される音声の音階をタッチ面での指の動作に応じて出力する音階よりも１オクターブ高くすることが考えられる。
【００６８】
<具体的な構成>
本実施形態のタッチリモコンの具体的な構成は、図７で示した実施形態１の具体的な構成と同様である。以下、実施形態１から３との相違点について説明する。
【００６９】
図２０は、「ＭＰＵ」の動作処理の一例を示すフローチャートである。まず、ステップＳ２００１において、制御対象である電子機器から「通信器」を介して「ＬＥＤ素子」の光点表示により促されるべきタッチ操作のＩＤを受信するまでアイドル状態で待機するか、他のタスクを実行して待機する。次にステップＳ２００２において、「通信器」を介してタッチ操作のＩＤを受信した場合、当該ＩＤを「ＲＡＭ」に格納する。次にステップＳ２００３において、タッチ操作のＩＤに基づいて光点で表示するタッチ操作促しメッセージを決定する処理を行う。次にステップＳ２００４において、タッチ操作促しメッセージを光点で表示するように点灯させるべき「ＬＥＤ素子」と各「ＬＥＤ素子」を点灯させるべきタイミングを決定する。次にステップＳ２００５において、「ＬＥＤコントローラ」に対して点灯させるべき「ＬＥＤ素子」のＩＤと各「ＬＥＤ素子」を点灯させるタイミングの情報を送信する。
【００７０】
なお、上記ＭＰＵのステップＳ２００３の動作処理としては、例えばタッチ操作のＩＤとタッチ操作促しメッセージを関連付けたテーブルに基づいて行うことが可能であり、当該テーブルデータはＲＯＭやフラッシュメモリに格納しておくことが考えられる。その他の処理については実施形態１から３で説明したものと同様である。
【００７１】
<効果>
本実施形態のタッチリモコンは、タッチ面上に複数の光点を配置する簡易的な構成によって遠隔制御する電子機器からのタッチ操作を促すためのメッセージを簡易に示すことが可能になる。
【符号の説明】
【００７２】
０２００…タッチリモコン、０２０１…検知部、０２０２…複数の光点表示部、０２０３…発光制御部、０７０１…ＭＰＵ、０７０２…ＲＡＭ、０７０３…不揮発性メモリ、０７０４…タッチセンサ、０７０５…センサコントローラ、０７０６…複数のＬＥＤ素子、０７０７…ＬＥＤコントローラ、０７０８…通信器、０７０９…通信用インターフェイス、０７１０…システムバス、１１０４…動作再現手段、１４０４…応答メッセージ表示手段、１８０４…タッチ操作促し情報受信部、１８０５…タッチ操作促しメッセージ表示手段
【図１】
2012094010.tif 000003
【図２】
2012094010.tif 000004
【図３】
2012094010.tif 000005
【図４】
2012094010.tif 000006
【図５】
2012094010.tif 000007
【図６】
2012094010.tif 000008
【図７】
2012094010.tif 000009
【図８】
2012094010.tif 000010
【図９】
2012094010.tif 000011
【図１０】
2012094010.tif 000012
【図１１】
2012094010.tif 000013
【図１２】
2012094010.tif 000014
【図１３】
2012094010.tif 000015
【図１４】
2012094010.tif 000016
【図１５】
2012094010.tif 000017
【図１６】
2012094010.tif 000018
【図１７】
2012094010.tif 000019
【図１８】
2012094010.tif 000020
【図１９】
2012094010.tif 000021
【図２０】
2012094010.tif 000022